(57)【要約】【課題】リーダー・プリンタ分離タイプのディジタル複写機に於いて、ＣＣＤ等の動作に影響を与えずに、放射ノイズを低減させることを目的とする。【解決手段】リーダー部基盤には周波数変調回路とデータ速度変換回路をもち、プリンタ部基板にはデータ速度変換回路をもつ。【選択図】        図１
2004247928.tif 000002
【特許請求の範囲】
【請求項１】
画像読み取り部とプリンタ部とが分離しており、各部分をケーブルで接続されたディジタル複写機・複合機において、画像読み取り部の基板（基板Ａ）は画像データ同期クロックの周波数変調を行う手段と、画像データの出力部に画像データ転送速度変換手段１を持ち、プリンタ部の基板（基板Ｂ）は、そのデータ入力部にデータ転送速度変換手段２を持つことを特徴とする画像処理装置。
【請求項２】
請求項１の画像処理装置において、基板Ａ内部の処理は周波数変調されていないクロックで画像処理が行われ、上記画像データ転送速度変換手段１で周波数変調されたクロック同期に速度変換される。また基板Ｂでは、周波数変調されたクロック同期の画像データを入力部で受け取り、上記データ転送速度変換手段２で周波数変調されていないクロック同期の画像データに変換することを特徴とする画像処理装置。
【発明の詳細な説明】
【０００１】
【発明の属する技術分野】
本発明は、ＣＣＤ等で読み取った画像をディジタルデータに変換し、種々の処理を行い、その結果をプリントアウト、もしくはＦＡＸ送信等を行う、いわゆるディジタル複写機・複合機に関するものであり、特に画像読み取り部とプリンタ部とが分離した形式の装置に関する。
【０００２】
【従来の技術】
ディジタル複写機の特徴を生かして、画像読み取り部とプリンタ部とを分離できる形式の製品が出てきた。これらの製品では、画像読み取り部とプリンタ部との接続をケーブル等で行っている。
【０００３】
【発明が解決しようとする課題】
画像読み取り部とプリンタ部との接続をケーブルで行うことになるが、画像データはデータのスピード（伝送速度）が速いため、ケーブルで引き伸ばすことにより放射ノイズが出易いと言う問題がある。
【０００４】
この問題を解決するための一つの方法として、ケーブルにシールドを行う方法が従来より行われているが、コストが高くなる等のデメリットがあった。また、シールドケーブルの製造上の出来具合で放射ノイズレベルが変動するといった問題点もあった。
【０００５】
また、近年、クロック周波数に変調をかけて、放射ノイズを元から減衰させる方式が普及してきているが、画像処理基板内のＰＬＬ回路や、ＣＰＵ等との相性がよくない場合がある。また、ＣＣＤセンサーでも画像の揺らぎ等の不具合が発生する場合がある。
【０００６】
【課題を解決するための手段】
上記課題を解決するために、本発明では、画像読み取り部の画像処理基板における画像データの出力部、及びプリンタ部の画像処理基板の画像データ入力部にそれぞれ周波数変換回路を設け、基板内の画像処理用のクロックには周波数変調をかけずに、ケーブルを伝送されるデータのみに周波数変調をかけることができる構成とした。
【０００７】
【発明の実施の形態】
以下、本発明の一実施の形態を図面に基づき説明する。
【０００８】
図２は、本発明の一実施の形態に係る画像処理装置（例えば複写装置）の構成を示す縦断面図である。同図において１００は画像処理装置で、画像読み取り部であるリーダ部１１０と、画像記録部であるプリンタ部１５０とからなる。
【０００９】
リーダ部１１０は、原稿給送装置１４０、原稿台ガラス１１１、スキャナ部のランプ１１２、スキャナ・ユニット１１３、ミラー１１４，１１５，１１６、レンズ１１７、ＣＣＤイメージ・センサー部（以下、ＣＣＤと記述する）１１８を有している。
【００１０】
プリンタ部１５０は、露光制御部１５１、感光体１５２、現像器１５３、記録紙（転写紙）積載部１５４，１５５、転写部１５６、定着部１５７、排紙部１５８、搬送方向切り替え部材１５９、再給紙用記録紙（転写紙）積載部１６０、ソータ１７０を有している。
【００１１】
次に、上記構成になる画像処理装置の動作について説明する。
【００１２】
図２において、リーダ部１１０の原稿給送装置１４０上に積載された複数枚の原稿は、１枚づつ順次原稿台ガラス１１１上に搬送される。原稿が原稿台ガラス１１１の所定位置に搬送されると、スキャナ部のランプ１１２が点灯し且つスキャナ・ユニット１１３が移動して原稿がランプ１１２により照射される。原稿の反射光は、ミラー１１４，１１５，１１６及びレンズ１１７を介してＣＣＤ１１８に入力される。ＣＣＤ１１８に照射された原稿の反射光は、光電変換され、画像信号として出力される。
【００１３】
ＣＣＤ１１８より出力された画像信号はプリンタ部１５０に送られ、適宜画像処理が施されたのち（不図示）露光制御部１５１に送られる。露光制御部１５１にて変調された光信号に変換され、この光信号は感光体１５２を照射することにより、感光体１５２上に潜像が形成される。感光体１５２上に形成された潜像は、現像器１５３によって現像される。前記現像された、像の先端とタイミングを合わせて記録紙積載部１５４または記録紙積載部１５５より記録紙が搬送され、転写部１５６において前記現像された像が記録紙に転写される。記録紙に転写された像は、定着部１５７により記録紙に定着された後、排紙部１５８より装置外部に排出される。排紙部１５８から排出された記録紙は、ソータ１７０でソート機能が働いている場合には、各ビン１７２等に、またソート機能が働いていない場合には、ソータ１７０の最上位のビン１７１に排出される。
【００１４】
次に、順次読み込む画像を１枚の記録紙の両面に出力する場合について説明する。
【００１５】
定着部１５７により像が定着された記録紙を、一度、排紙部１５８まで搬送後、記録紙の搬送方向を反転して搬送方向切り替え部材１５９を介して再給紙用記録紙積載部１６０に搬送する。そして、次の原稿が準備されると、前記プロセスと同様にして原稿画像が読み取られるが、記録紙については再給紙用記録紙積載部１６０から給紙されるので、結局、同一記録紙の表面と裏面に２枚の原稿画像を出力することができる。
【００１６】
図３は、本実施の形態に係る画像処理装置１００の制御構成を示すブロック図であり、同図において、図２と同一部分には同一符号が付してある。
【００１７】
図３において、矢印Ａ部は前述のリーダ部１１０に、矢印Ｂ部は前述のプリンタ部１５０に含まれる。
【００１８】
ＣＣＤ１１８内で光電変換され、適宜アナログ増幅及びＡ／Ｄ変換された画像データは１２１のラインを介してリーダーコントローラ１２０（以下Ｒコンと略す）に送られる。Ｒコン１２０では受け取った画像データをシェーディング補正をかけた後、画像転送バス３００を介してコントローラ２０１へと送る。又、Ｒコン内で生成したＣＣＤ１１８駆動用の各種タイミングパルスは１２２を介してＣＣＤ１１８へと送られる。
【００１９】
又、Ｒコン１２０にはステッピングモータ１２３が接続され、Ｒコン１２０の制御により、ステッピングモータ１２３が正／逆回転することにより、前述のスキャナ・ユニット１１３が往／復動し、原稿台ガラス１１１上の原稿を走査することができる。
【００２０】
コントローラ２０１はプリンタ部１５０及びリーダ部１１０を総合的に制御するユニットであり、各種制御用のデータをデータバス３０１を介してＲコン１２０とやりとりする。
【００２１】
ユーザーインターフェイス部２０５（以下Ｕｉと略す）はキーやＬＣＤ等の表示部からなり、キーの入力情報をコントローラ２０１におくり、又、コントローラ２０１から出力される表示データを受け取り、その表示データに従って表示を行う。
【００２２】
低圧電源ユニット２０３（以下ＬＶＴと略す）は商用電源（不図示）からＡＣ電圧を受け取り、コントローラ２０１の指示の元に、低圧電源を生成する。低圧電源として、ＣＰＵ等の制御部に給電する制御電源（３．３Ｖ等）やモータやソレノイドを駆動するためのパワー電源（２４Ｖ等）を生成する。制御電源は３０２のラインを介してＲコンに供給されると共にプリンタ部１５０内の必要な各ユニットに供給される（不図示）。又、パワー電源は３０３のラインを介してＲコンに供給されると共にプリンタ部１５０内の必要な各ユニットに供給される（不図示）。
【００２３】
Ｒコン１２０より受け取った画像データはコントローラ２０１内で、変倍、エッジ強調、２値化等の画像処理を施された後、２０７のラインを介してプリンタコントローラ２０２（以下Ｐコンと略す）に送られる。Ｐコンはプリンタ部１５０の紙送り系の制御、画像形成に必要な帯電系の制御を行うユニットである。Ｐコン２０２は各種制御用のデータをデータバス２０８を介してコントローラ２０１とやりとりする。又、２０７のラインを介して受け取った画像データに、プリントに必要な各種タイミングを付加して画像データバス２０７に出力する。
【００２４】
１５１は前述の露光制御部で、画像データバス２０７を介して受け取った画像データやタイミング信号に従ってレーザー（不図示）を所定の光量で発光させ、感光体１５２を照射することにより、感光体１５２上に潜像が形成される。
【００２５】
外部インターフェイス３０４は画像処理装置１００以外の装置、例えばパーソナルコンピュータと通信を行う為のインターフェイスであり、コントローラ２０１に接続されている。
【００２６】
図５は、図３において示されたＲコン１２０の構成を示すブロック図である。同図において、図３と同一部分については同一の符号を付してある。
【００２７】
ＣＰＵ１２４はリーダ部１１０の動作を制御していて、ローカルデータバス１３０を経由してパルス生成器１２５と初期画処理器１２６の設定及び動作タイミングを与えている。また、データバス３０１を経由してコントローラ２０１と情報の受け渡しを行っている。
【００２８】
ＣＰＵ１２４は更に、モータ制御信号１３３を使ってモータドライバ１２８を介してステッピングモータ１２３を制御する。
【００２９】
モータドライバ１２８はモータ制御信号１３３に含まれているステッピングモータの回転速度を示すモータクロック信号と回転方向信号及び駆動イネーブル信号に従ってモータ駆動線１３４によりステッピングモータ１２３を駆動する。ステッピングモータ１２３の駆動にはパワー電源３０３を使用する。
【００３０】
パルス生成器１２５は発振器１２７からクロックの供給を受け、ＣＰＵ１２４による設定に従ってＣＣＤタイミング信号１２２を生成しＣＣＤ１１８を駆動すると同時にタイミング信号１２２によってＣＣＤ１１８から送られてくる画像データ１２１に同期した画像クロック１３２を生成する。画像クロックのスピードは、ＣＣＤタイミング信号１２２との相関性を保った状態で、ＣＰＵ１２４により選択的に切換が可能である。
【００３１】
初期画処理器１２６はＣＣＤ１１８より送られてくる画像データ１２１にシェーディング処理を施して画像転送バス３００に画像クロック１３２に同期させて送り出す。データバス３０１に含まれる画像データに関する情報信号は直接に初期画処理器１２６に接続され、画像データに関連するクリティカルなタイミング信号の受け渡しを行っている。
【００３２】
本構成においては、ＣＰＵ１２４の動作クロックと画像クロック１３２は同期している必要性がないため、同期している状態を含めてお互いに任意に選択が可能となっている。
【００３３】
図４は、操作部２０５の構成例を示す平面図である。同図に示すように操作部２０５には、各種キーと液晶表示装置からなるドッマトリックスで構成される表示部２０５ａとが配置されている。
【００３４】
表示部２０５ａは、画像処理装置の状態、コピー枚数、倍率、選択用紙及び各種操作モード画面を表示し、後述する各種コントロールキーにより操作される。
【００３５】
２０５ｂはスタートキーで、コピー動作を開始させるためキーである。２０５ｃは復帰（リセット）キーで、設定モードを標準状態に復帰（リセット）させるためのキーである。２０５ｄはキー群で、コピー枚数やズーム倍率等を入力するための０〜９までのテンキーと、その入力をクリアするためのクリアキー等を有している。２０５ｅ，２０５ｆは濃度調整キーで、濃度をアップ／ダウンさせるためキーである。これらの濃度調整キー２０５ｅ，２０５ｆにより調整される濃度の状態は、バースケール状の濃度表示部２０５ｇに表示される。２０５ｈは自動濃度調整機能をオン／オフするためのキーと、その表示部である。２０５ｉは給紙段及びオート用紙選択モードを選択するためのキーであり、その選択状態は表示部２０５ａに表示される。２０５ｊ，２０５ｋ，２０５ｌはそれぞれ定形縮小モード、等倍モード、拡大モードを設定するためのキーである。２０５ｍはオート変倍モードを設定するためのキーで、その設定状態は表示部２０５ａに表示される。
【００３６】
図６はコントローラ２０１の構成を示すブロック図である。図においてＣＰＵ７０１はＲＯＭ７０２内のプログラムに基ずき全体の制御を行う。ＲＡＭ７０３はＣＰＵ７０１のワークエリア、及びスキャナ部１１０で読み取った画像の記憶にも使用する。７１３はシリアル通信コミュニケーションインターフェイスであり、ここを介してＣＰＵ７０１は前述のＲコン１２０、ＬＶＴ２０４，Ｐコン２０２と情報の送受信を行う。７１０はＰＣｌ／Ｆ部でバイセントロ等のインターフェイスであり、パソコンからプリントデータを受け取ったり、画像処理装置１００の状態をパソコンに通知したりする。７０９は画像データの圧縮及び伸長を高速に行う圧縮／伸長部である。ＪＢＩＧ，ＭＭＲ等のフォーマットをサポートする。７０８は１０ｂａｓｅ等のネットワークとのインターフェイス部であり、ＣＰＵ７０１はネットワーク上のコンピュータからプリントデータを受け取ったり、画像処理装置１００の状態をコンピュータに通知したりする。
【００３７】
７０７はファックス部であり、モデムや回線処理回路を含むものである。所定のフォーマットで圧縮された画像データを通信回線（以下ＰＳＴＮと略す）を介して送信したり、受信したりする。７１２は前述のＵｉ２０５とのインターフェイス部でＬＣＤコントローラを含む。ＣＰＵ７０１はここを介して表示データをＵｉ２０５に渡したり、キー入力データを受け取る。
【００３８】
７２０は画像処理部で、画像転送バス３００を介してリーダ部１１０より画像データを受け取り、画像処理（後述）を施した後、ビデオ入力Ｉ／Ｆ部７０５に出力する。ビデオ入力Ｉ／Ｆ部７０５ではタイミングを変換してＲＡＭ７０３にデータを記憶させる。一方、ＲＡＭ７０３に記憶された画像データはビデオ出力Ｉ／Ｆ部７０６ではタイミングを変換し、画像処理部７２０で画像処理（後述）を施した後画像転送バス２０７を介してＰコン２０２へと送られる。
【００３９】
図７は画像処理部７２０の構成を示すブロック図である。８ビットの画像データはそのまま８ビットｂのデータとしてビデオ入力Ｉ／Ｆ部７０５へ送られる場合と、以下の画像処理を施される場合がある。１３０４の変倍部で拡大や縮小の変倍処理、１３０３でフィルタ処理、１３０２でプリンタ等の特性にあわせてＬｏｇ変換、１３０１で誤差拡散等のアルゴリズムで２値化を行い情報量を少なくする。
【００４０】
ビデオ出力Ｉ／Ｆ部７０６からの６００ｄｐｉの画像データは１３０５のスムージング部で擬似的に２４００ｄｐｉのデータひ変換される。
【００４１】
図８はＰコン２０２の構成を示すブロック図である。図中８０１はプリンタ部のメカニカルな制御を行うＣＰＵで、ＲＯＭ８０２に記憶されたプログラムに従って制御を行う。８０３はＣＰＵ８０１が使用するＲＡＭである。８０４は入出力ポートであり、８０６の各種センサーはここを介してＣＰＵ８０１に読み込まれる。各種センサーは例えば転写紙の有無を検出する紙センサー等が含まれる。８０４はの出力ポートの出力はドライバ８０５に接続され、ここで必要なドライブ電圧に変換され、各種負荷８０７へと接続される。各種負荷８０７には、定着ヒータ、紙送り用のモータやクラッチ、ソレノイド等を含む。
【００４２】
８０９はリアル通信コミュニケーションインターフェイスであり、ここを介してＣＰＵ８０１は前述のコントローラ２０１と情報の送受信を行う。
【００４３】
定着部１５７の温度を検出する温度センサーはＣＰＵ８０１のＡ／Ｄ入力に接続され、ＣＰＵ８０１はここで検出する温度に応じて定着ヒータの制御を行う。
【００４４】
８１０は画像処理部でコントローラ２０１から送られてきた画像データを主走査方向のタイミングをあわせて露光制御部１５１へと渡す。
【００４５】
図９はＬＶＴ２０３の構成を示すブロック図である。図中ＣＰＵ９０１はＬＶＴの動作を制御する、ＲＯＭ、ＲＡＭを含む１チップＣＰＵである。ＣＰＵ９０１は２０４のラインを介してコントローラ２０１と情報をやりとりする。
【００４６】
商用電源９０７は平滑回路９０２により平滑され、その出力は、９０３、９０４、９０５、９０６のＤＣ／ＤＣコンバータ部に接続される（以下ＣＮＶ１〜４と略す）。
【００４７】
ＣＮＶ１  ９０３は常時動作をしていて制御用の電源３．３ＶＡを作る。又この３．３ＶＡはＣＰＵ９０１に供給される。
【００４８】
ＣＮＶ２  ９０４は３．３ＶＢを作る。この電源はＣＰＵ９０１によりオン／オフ制御することができる。
【００４９】
ＣＮＶ３  ９０５はパワー電源（２４Ｖ）を作る。この電源はＣＰＵ９０１によりオン／オフ制御することができる。
【００５０】
ＣＮＶ４  ９０６はパワー電源（２可変）を作る。この電源はＣＰＵ９０１によりオン／オフ制御、及び出力電圧を設定することができる。又ＣＮＶ４  ９０６内には電流リミッタ回路が設けて有り、かつリミットを掛ける電流値もＣＰＵ９０１により設定することができる。
【００５１】
次に、図１について説明する。
【００５２】
図１中の１は画像読み取り部用のプリント基板であり、図２中のリーダー部１１０内に配置される。また、図１中の１０はプリンタ部用のプリント基板であり、図２のプリンタ部１５０内に配置される。画像読み取り用のプリント基板内の画像処理回路２では、ＣＣＤ等の画像読み取り素子から出力される画像信号をディジタル信号に変換し、シェーディング補正等の画像処理を行う。発振器４は本基板内の画像処理回路に使用される基準クロック（ＣＬＫ１）を発生している。周波数変調回路５はＣＬＫ１の周波数に対して変調をかける回路である。図１０−（ａ）に変調をかけた様子を示す。本回路に発振器で生成されたクロック信号ＣＬＫ１を入力すると、周波数が所定周期で変調されたクロック信号ＭＣＬＫ１が出力される。時間の経過と周波数との関係は図１０−（ｂ）の様になる。図１にもどり、３はデータ転送速度変換回路である。本回路の動作を図１１−（ａ），（ｂ）に示す。本回路にはＣＬＫｌとそれに同期した画像データＶＩＤ１（図１１−（ａ））、周波数変調されたクロック信号ＭＣＬＫ１、及び図示しない水平同期信号等が入力される。そして、画像データ出力はＭＣＬＫ１に同期したＭＶＩＤ１となる（図１１−（ｂ））。ここで速度変換された画像データＭＶＩＤ１と、その同期クロック信号ＭＣＬＫ１はコネクタ６を介し、ケーブル７を通してプリンタ部用プリント基板１０に供給される。
【００５３】
プリント基板１０ではコネクタ１４に入力された画像データＭＶＩＤ１とその同期用クロック信号ＭＣＬＫ１が、データ転送速度変換回路１２に入力される。１３は本プリント基板内の画像処理用基準クロックＣＬＫ２を発生させるための発振器である。前述のデータ転送速度変換回路１２では、図１１に示すように、リーダ部から供給されたクロック信号ＭＣＬＫ１と画像信号ＭＶＩＤ１を周波数変調されていないクロック信号ＣＬＫ２に同期した画像信号ＶＩＤ２に速度変換して出力する（図１１−（ｂ），（Ｃ））。以降の画像処理は画像信号ＶＩＤ２、及びその同期クロックＣＬＫ２により画像処理回路１１で行われる。
【００５４】
以上述べてきたように、本発明によればデータを伝送するケーブルの部分だけに周波数変調されたクロックとそれに同期した画像信号を伝送することができるため、ケーブルを介して発生する放射ノイズを大幅に低減することができる。また、各プリント基板内では、周波数変調されていないクロック（ＣＬＫ１、ＣＬＫ２）同期で画像処理を行うことができるので、画像処理回路内でＰＬＬ回路やＣＣＤセンサーといった周波数変調と相性の悪い回路があっても問題なく動作させることができる。
【００５５】
本実施例では、リーダー部、スキャナー部共にデータ転送速度変換回路を設けた例を説明したが、プリンタ部の画像処理回路でＰＬＬ等を使用していない場合、プリント基板１０内のデータ速度変換回路１２、及び発振器１３を持たない構成とし、周波数変調されたクロック信号ＭＣＬＫ１を使用して画像処理を行うようにしてもよい。
【図面の簡単な説明】
【図１】本発明の実施の形態に係る画像処理基板の概略構成を表すブロック図である。
【図２】本発明の一実施の形態に係る画像処理装置の概略構成を示す縦断面図である。
【図３】本発明の一実施の形態に係る画像処理装置の制御構成を示すブロック図である。
【図４】本発明の一実施の形態に係る画像処理装置の操作部の構成を示す平面図である。
【図５】本発明の一実施の形態に係る画像処理装置におけるＲコンの構成を示すブロック図である。
【図６】本発明の一実施の形態に係る画像処理装置におけるコントローラの構成を示すブロック図である。
【図７】本発明の一実施の形態に係る画像処理装置における画像処理部を説明するための図である。
【図８】本発明の一実施の形態に係る画像処理装置におけるＰコンを説明するブロック図である。
【図９】本発明の一実施の形態に係る画像処理装置における低圧電源を説明するブロック図である。
【図１０】本発明の一実施の形態に係る画像処理装置における画像処理用クロック信号の周波数変調の様子を示した図である。
【図１１】本発明の一実施の形態に係る画像処理装置におけるデータ転送速度変換回路での、動作を示した図である。
【符号の説明】
１  リーダー部プリント基板
２  リーダー部画像処理回路
３  リーダー部データ転送速度変換回路
４  リーダー部画像処理用同期クロック発振器
５  周波数変調回路
７  プリント基板間接続ケーブル
１０  プリンタ部プリント基板
１１  プリンタ部画像処理回路
１２  プリンタ部データ転送速度変換回路
１３  プリンタ部画像処理用同期クロック発振器
１００  画像処理装置
１１０  リーダ部
１４０  原稿給送装置
１１１  原稿台ガラス
１１２  ランプ
１１３  スキャナーユニット
１１４  ミラー
１１５  ミラー
１１６  ミラー
１１７  レンズ
１１８  ＣＣＤイメージ・センサ部
１５０  プリンタ部
１５１  露光制御部
１５２  感光体
１５３  現像器
１５４  転写紙積載部
１５５  転写紙積載部
１５６  転写部
１５７  定着部
１５８  排紙部
１５９  搬送方向切り替え部材
１６０  再給紙用転写紙積載部
１７０  ソータ
１７１  ビン
１７２  ビン
２０５  操作部
２０５ａ  表示器
２０５ｂ  スタートキー
２０５ｃ  復帰（リセット）キー
２０５ｄ  キー群
２０５ｅ  濃度調整キー
２０５ｆ  濃度調整キー
２０５ｇ  濃度表示部
２０５ｈ  自動濃度調整機能オン／オフキー
２０５ｉ  給紙段／オート用紙選択キー
２０５ｊ  縮小キー
２０５ｋ  等倍キー
２０５ｌ  拡大キー
２０５ｍ  オート変倍モード設定キー
【図１】
2004247928.tif 000003
【図２】
2004247928.tif 000004
【図３】
2004247928.tif 000005
【図４】
2004247928.tif 000006
【図５】
2004247928.tif 000007
【図６】
2004247928.tif 000008
【図７】
2004247928.tif 000009
【図８】
2004247928.tif 000010
【図９】
2004247928.tif 000011
【図１０】
2004247928.tif 000012
【図１１】
2004247928.tif 000013